【事件の表示】
　特願２０００−１６６１９３「開放警告装置」拒絶査定不服審判事件〔平成１３年１２月１１日出願公開、特開２００１−３４０５９５〕について、次のとおり審決する。
【結　論】
　本件審判の請求は、成り立たない。
【理　由】
第１．手続の経緯　
　本願は、平成１２年６月２日の出願であって、平成１７年３月３０日付の拒絶理由通知に対して同年４月２８日付で手続補正がなされ、同年６月２７日付の拒絶理由通知に対して同年７月２７日付で手続補正がなされ、同年１０月２１日付の拒絶理由通知に対して同年１１月２５日付で手続補正がなされ、これに対し、平成１８年２月２１日付で補正の却下の決定がなされるとともに拒絶査定がなされ、これに対し、同年４月６日に拒絶査定不服の審判請求がなされるとともに同年５月２日付で手続補正がなされたものである。
　
　
第２．平成１８年５月２日付の手続補正についての補正却下の決定　
〔補正却下の決定の結論〕　
　平成１８年５月２日付の手続補正（以下、「本件補正」という。）を却下する。　
　
［理由］　
【１】本件補正の内容と補正の適否　
　本件補正により、特許請求の範囲の請求項１は、平成１７年７月２７日付手続補正により補正された特許請求の範囲の請求項１に記載された
「【請求項１】　遊技機の開放を検出して警告する開放警告装置において、
　プラスチック製のケースと、
　該ケースを遊技機設置島に取り付けるための部材と、
　本体部分はコイルバネであり、前記ケース内に設けられている軸にて支持されて前記ケースから垂下され、前記軸を中心として垂下位置と傾斜位置の間で揺動変位可能であるが、前記ケースに内蔵されているバネによって前記垂下位置側に付勢されているために外力が働かないときには前記垂下位置を維持する開閉検出体と、
　前記ケース内に配されて、該開閉検出体が前記傾斜姿勢にあるときにはオフになり前記垂下姿勢になるとオンになる開放検出スイッチと
　前記ケース内で該開放検出スイッチと並列に配されて、前記開放警告装置の電源が入っているときにハイレベルの電位に充電され、該開放警告装置の電源が切られているときに前記開放検出スイッチがオンにされると前記開放検出スイッチを通る経路で放電されてローレベルの電位になるコンデンサと、
　前記開放警告装置の電源が入っているときに作動して、前記コンデンサの電位がハイレベルのときは前記警告灯への電流を遮断し、該コンデンサの電位がローレベルのときは前記警告灯に通電するスイッチ回路と
　を備えて、
　前記ケースは、遊技機の閉鎖時には遊技機の扉部材に取り付けられた部品によって押圧されて前記開閉検出体が前記傾斜姿勢となり、該押圧が解除されると前記開閉検出体が前記垂下姿勢となる位置に、前記部材にて遊技機設置島に取り付けられる
　ことを特徴とする開放警告装置。」から、　
「【請求項１】　遊技機の開放を検出して警告する開放警告装置において、
　プラスチック製のケースと、
　該ケースを遊技機設置島に取り付けるための部材と、
　本体部分はコイルバネであり、前記ケース内に設けられている軸にて支持されて前記ケースから垂下され、前記軸を中心として垂下位置と傾斜位置の間で揺動変位可能であるが、前記ケースに内蔵されているバネによって前記垂下位置側に付勢されているために外力が働かないときには前記垂下位置を維持する開閉検出体と、
　前記ケース内に配されて、該開閉検出体が前記傾斜位置にあるときにはオフになり前記垂下姿勢になるとオンになる開放検出スイッチと、　
　前記ケース内で該開放検出スイッチと並列に配されて、前記遊技機設置島に電源が入っているときにハイレベルの電位に充電され、該遊技機設置島の電源が切られているときに前記開放検出スイッチがオンにされると前記開放スイッチを通る経路で放電されてローレベルの電位になるコンデンサと、
　前記遊技機設置島に電源が入っているときに作動して、前記コンデンサの電位がハイレベルのときは警告灯への電流を遮断し、該コンデンサの電位がローレベルのときは前記警告灯に通電するスイッチ回路と
　を備えて、
　前記ケースは、遊技機の閉鎖時には遊技機の扉部材に取り付けられた部品によって押圧されて前記開閉検出体が前記傾斜位置となり、該押圧が解除されると前記開閉検出体が前記垂下姿勢となる位置に、前記部材にて遊技機設置島に取り付けられる
　ことを特徴とする開放警告装置。」
へと補正された。　
　
　本件補正により特許請求の範囲の請求項１にした補正は、「開放警告装置の電源が入っているとき」（２カ所）、「開放警告装置の電源が切られているとき」（１カ所）を、それぞれ、「遊技機設置島に電源が入っているとき」、「遊技機設置島の電源が切られているとき」にしたことを含むものであるが、「開放警告装置の電源」により特定される技術事項が、「遊技機設置島の電源」により特定される技術事項を包含する意味を有する根拠はないから、本件補正後の、遊技機設置島の（に）電源が入っている／切られている状態にあるということは、本件補正前の、開放警告装置の電源が入っている／切られている状態にあるということを概念的に下位にしたものではなく、発明特定事項の限定であるとはいえない。
　したがって、本件補正により特許請求の範囲についてした補正は、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的とするものに該当しない。
　また、本件補正により特許請求の範囲についてした補正は、同項第１号、第３号、第４号の、請求項の削除、誤記の訂正、及び明りょうでない記載の釈明のいずれを目的とするものでもないことは明らかである。
　したがって本件補正は、平成１８年改正前特許法第１７条の２第４項に規定する要件を満たしておらず、特許法第１５９条第１項において読み替えて準用する同法第５３条第１項の規定により却下すべきものである。
　　
　
第３．本願発明について　　
【１】本願発明　
　本願の請求項１に係る発明は、平成１８年５月２日付の手続補正が上記のとおり却下されているので、平成１７年７月２７日付の手続補正により補正された明細書及び図面の記載からみて、その特許請求の範囲の請求項１に記載された事項により特定される以下のとおりのものである（以下、「本願発明」という。）。　
「【請求項１】　遊技機の開放を検出して警告する開放警告装置において、
　プラスチック製のケースと、
　該ケースを遊技機設置島に取り付けるための部材と、
　本体部分はコイルバネであり、前記ケース内に設けられている軸にて支持されて前記ケースから垂下され、前記軸を中心として垂下位置と傾斜位置の間で揺動変位可能であるが、前記ケースに内蔵されているバネによって前記垂下位置側に付勢されているために外力が働かないときには前記垂下位置を維持する開閉検出体と、
　前記ケース内に配されて、該開閉検出体が前記傾斜姿勢にあるときにはオフになり前記垂下姿勢になるとオンになる開放検出スイッチと
　前記ケース内で該開放検出スイッチと並列に配されて、前記開放警告装置の電源が入っているときにハイレベルの電位に充電され、該開放警告装置の電源が切られているときに前記開放検出スイッチがオンにされると前記開放検出スイッチを通る経路で放電されてローレベルの電位になるコンデンサと、
　前記開放警告装置の電源が入っているときに作動して、前記コンデンサの電位がハイレベルのときは前記警告灯への電流を遮断し、該コンデンサの電位がローレベルのときは前記警告灯に通電するスイッチ回路と
　を備えて、
　前記ケースは、遊技機の閉鎖時には遊技機の扉部材に取り付けられた部品によって押圧されて前記開閉検出体が前記傾斜姿勢となり、該押圧が解除されると前記開閉検出体が前記垂下姿勢となる位置に、前記部材にて遊技機設置島に取り付けられる
　ことを特徴とする開放警告装置。」
　
　
【２】特許法第２９条２項の適用
［１］引用例に記載の発明　
　第１引用例：特開平１０−１５１２６０号公報
　第２引用例：特開平１１−１９０９７２号公報
　
（１）第１引用例に記載の発明
　原査定の拒絶の理由に引用された、平成１０年６月９日に頒布された刊行物である特開平１０−１５１２６０号公報（以下、「第１引用例」という。）には、以下の事項が記載されている。
（ア）「【請求項１】  遊技機に対する不正関連行為を監視する遊技機の不正監視装置において、遊技機への主電源の供給状態を検出して出力する主電源状態検出手段と、前記主電源の非供給期間に電源を供給する補助電源と、前記主電源の非供給期間にあっては前記補助電源によって動作して、前記遊技機に対する不正関連行為を検出するための不正検出情報に基づいて前記主電源の非供給期間中における不正関連行為の有無を監視し、不正関連行為があった場合に、該不正関連行為があった旨の情報を保持する不正監視手段と、前記主電源が再度供給状態に切り替わった時に、前記不正監視手段の保持情報に基づき、不正関連行為有の場合に、不正情報を出力する不正情報出力手段とを備えたことを特徴とする遊技機の不正監視装置。」（第２頁第１欄２〜１６行）
（イ）「【０００８】ここで、不正関連行為とは、不正行為と、この不正行為を行うためになされる予備的な行為とを含む行為を示し、例えば、遊技機の開閉枠や開閉ケースを開く行為等が該当する。」（第３頁第３欄２９〜３２行）
（ウ）「【００２４】また、パチンコ遊技機２の背面側上方には、前面枠オープン検出器２１が設けられている。この前面枠オープン検出器２１は、前面枠１７の開放を検出するもので、前面枠１７が開いた場合に、前面枠オープン信号３４（図５参照）を出力する。」（第４頁第６欄２８〜３２行）
（エ）「【００２５】そして、本実施形態における前面枠オープン検出器２１は、スプリング等のロッド状弾性体により構成されたロッド状検出部２１ａを備え、このロッド状検出部２１ａが上記した球タンク２５に押圧される状態で取り付けられる。そして、前面枠１７の開放動作により前進してロッド状検出部２１ａの押圧がなくなると、ロッド状検出部２１ａが自らの弾性力により初期位置に復帰して、上記した前面枠オープン信号３４を監視アダプタ３に出力する。このような構成を採ることにより、前面枠オープン検出器２１を島設備１側に配設することができ、パチンコ遊技機２の交換に伴う作業性の向上及び交換部品点数の削減を図ることができる。」（第４頁第６欄３３〜４４行）
（オ）「【００３０】図４に示すように、この監視アダプタ３は、箱状の収納ケース３８を有し、この収納ケース３８内に電気回路が搭載された基板が配設されている。」（第５頁第７欄３２〜３４行）
（カ）「【００３７】・・・一方、この主電源供給時において、第２のＤフリップ・フロップ６５は、データ入力であるインバータ５７の出力が「Ｌ」レベルとなっているので、クロック入力は無効になり、ガラス枠オープン信号３５及び前面枠オープン信号３４は、ダイオード６８を介してトランジスタ６６のベースに印加される。」（第６頁第９欄６〜１９行）
（キ）「【００３８】そして、トランジスタ６６のベースに電圧が印加されると、このトランジスタ６６のコレクタ−エミッタ間が導通し、フォトカプラ６７が不正信号１３を出力する。この不正信号１３は、上記した呼出表示装置４の呼出制御装置８により受信され、ランプ表示部６を発光させる。」（第６頁第９欄２０〜２５行）
（ク）「【００３９】このように、主電源５の供給状態においては、監視アダプタ３は、ガラス枠２０あるいは前面枠１７が開放されている期間中或いは裏ケース３０の開放があった場合に不正信号１３を出力し、呼出表示装置４は、監視アダプタ３からの不正信号１３によりランプ表示部６を発光させる。」（第６頁第９欄２６〜３１行）
（ケ）「【００４０】一方、主電源５の非供給時において、第１のＤフリップ・フロップ６４は、データ入力が電源６２により「Ｈ」レベルとなっているので、上記した主電源５の供給時と同様に、裏ケースオープン信号３３の入力があると、不正リセット信号１４が入力されるまでトランジスタ６６のベースに電圧を印加し続ける。また、第２のＤフリップ・フロップ６５も、データ入力であるインバータ５７の出力が「Ｈ」レベルとなるので、クロック入力であるガラス枠オープン信号３５及び前面枠オープン信号３４を有効にする。従って、ガラス枠オープン信号３５あるいは前面枠オープン信号３４が入力されるとＱ出力を「Ｈ」レベルとし、不正リセット信号１４が入力されるまでトランジスタ６６のベースに電圧を印加し続ける。」（第６頁第９欄３８行〜同頁第１０欄１行）
（コ）「【００４１】なお、このベースへの電圧印加によりトランジスタ６６が導通するが、電源６３が非供給状態であるため、フォトカプラ６７は動作しない。従って、不正信号１３も出力されない。そして、主電源５が再度供給されると電源６３も供給状態に切り替わり、フォトカプラ６７は不正信号１３を出力して呼出表示装置４のランプ表示部６を発光させる。」（第６頁第１０欄２〜８行）
（サ）「【００４２】要するに、主電源５の非供給時においては、ガラス枠２０、前面枠１７、或いは裏ケース３０の何れかが開放された場合、監視アダプタ３（第１のＤフリップ・フロップ６４及び第２のＤフリップ・フロップ６５）はその旨を保持（Ｑ出力「Ｈ」）し、電源供給状態への復帰時に不正信号１３を出力する（フォトカプラ６７）。そして、呼出表示装置４は、この不正信号１３に基づき、責任者によるリセット操作がなされるまでランプ表示部６の発光を継続する。」（第６頁第１０欄９〜１７行）
（シ）図３及び図４の記載によれば、前面枠オープン検出器２１は、監視アダプタ３と同様に、箱状の収納ケースを有していることが明らかである。
（ス）図３及び図４の記載によれば、ロッド状検出部２１ａは、箱状の収納ケースから垂下され、初期位置と球タンク２５に押圧される状態の間で揺動変位可能であることが明らかである。
　
　上記（ア）〜（サ）の記載及び上記（シ）〜（ス）の解釈によれば、第１引用例には、以下の発明（以下、「引用発明」という。）が記載されている。
「遊技機の開閉枠や開閉ケースを開く行為を検出するための不正検出情報に基づいて不正情報を出力する不正監視装置において、箱状の収納ケースと、該箱状の収納ケースを遊技機２の背面側上方の島設備１側に配設するとともに、スプリング等のロッド状弾性体により構成され、前記箱状の収納ケースから垂下され、初期位置と球タンク２５に押圧される状態の間で揺動変位可能であるが、自らの弾性力によりロッド状検出部２１ａの押圧がなくなると、前記初期位置に復帰するロッド状検出部２１ａと、該ロッド状検出部２１ａが前記球タンク２５に押圧される状態では前面枠オープン信号３４を出力せず、前記初期位置に復帰すると監視アダプタ３に前記前面枠オープン信号３４を出力する手段と、監視アダプタ３の収納ケース３８内に配設され、主電源５の非供給時において、前記前面枠オープン信号３４が入力されるとＱ出力を「Ｈ」レベルとし電圧を印加し続ける第２のＤフリップ・フロップ６５と、前記主電源５の供給状態において、「Ｈ」レベルの電圧が印加されていないとランプ表示部６を発光させず、「Ｈ」レベルの電圧が印加されているとランプ表示部６を発光させるトランジスタ６６とを備えて、前記箱状の収納ケースは、前記前面枠１７の開放動作前には、前記ロッド状検出部２１ａが前記球タンク２５に押圧される状態であり、該押圧がなくなると、前記ロッド状検出部２１ａが前記初期位置に復帰する位置に、前記遊技機２の背面側上方の島設備１側に配設される不正監視装置。」　
　
（２）第２引用例に記載の発明
　原査定の拒絶の理由に引用された、平成１１年７月１３日に頒布された刊行物である特開平１１−１９０９７２号公報（以下、「第２引用例」という。）には、以下の事項が記載されている。
（ア）「【請求項１】  所定の装置を収納して密封した筐体が開封されるとその旨を検出して検出信号を発生する検出素子と、該検出素子からの検出信号を受けて前記筐体が開封されたことを記憶する記憶素子と、外部電源にて充電され、外部電源遮断後も前記検出素子及び記憶素子に電源供給を行いこれら各素子の動作を継続させる内部電源と、外部電源を受けて動作し、前記記憶素子に前記筐体の開封が記憶されている場合に、その旨を表す表示信号を出力する表示信号出力手段と、を備え、前記筐体内に収納された筐体の封印装置において、前記記憶素子をコンデンサとしたことを特徴とする筐体の封印装置。」（第２頁第１欄２〜１６行）
（イ）「【００２４】第１実施例の封印装置１は、図示しないパチンコ遊技機に組み込まれてパチンコ遊技機の動作を制御する電子装置２０に取り付けられ、電子装置２０と共に、筐体２４に収納され、筐体２６が筐体２４に取り付けられて密封されている。」（第４頁第６欄５〜９行）
（ウ）「【００５２】次に、第２実施例の封印装置１１を説明する。・・・第２実施例の封印装置１１は、第１実施例の封印装置１と同様に電子装置２０と共に、電子回路基板２２に組み付けられ、筐体２４及び２６にて密封される。」（第８頁第１３欄１〜６行）
（エ）「【００５８】また、記憶回路１２は、電源ＩＣ３から逆流防止用のダイオードＤ１を介して、外部電源投入時に充電される内部電源としてのコンデンサＣ１が接続され、コンデンサＣ１のプラス極には、端子Ｔ６を介して、検出部ＳＥ２の可動接点５３に接続される。」（第８頁第１４欄１２〜１６行）
（オ）「【００６１】一方、筐体２４から筐体２６が開けられている状態、つまり、検出部ＳＥ２の可動接点５３が筐体２６の開封と同時に引っ張られ、固定接点５１と接触した状態（つまり、可動接点５３と固定接点５１とが閉する状態）では、検出部ＳＥ２が導通状態となって、コンデンサＣ１の電荷によって、コンデンサＣ２が充電される。」（第８頁第１４欄３８〜４４行）
（カ）「【００６２】そして、この状態において外部電源が投入されると、コンデンサＣ２が充電されていることから、第１実施例の封印装置１と同様に、発光ダイオードＬＥＤ１は、分周信号Ｓ１に対応した周期（８Ｈｚ）で、分周信号Ｓ２に対応した一定周期（１Ｈｚ）の点滅状態と、点滅しない非点滅状態とが交互に繰り返されることになり、この表示状態により筐体２４から筐体２６が開けられていることを確認できる。さらに、端子Ｔ３、Ｔ４からホールコンピュータ側でも、表示信号の反転パターンから、筐体２４から筐体２６が開けられたことを検出できる。また、外部電源投入中に筐体２４から筐体２６が開けられた場合でも、上記と同様に、コンデンサＣ２が充電されて、表示・出力回路１６にて開封状態を表す表示信号が生成されるが、この場合には、既に発振器４及び分周器５が動作しているため、端子Ｔ３、Ｔ４を介して、ホールコンピュータ等に、筐体２４から筐体２６が開けられたことを出力する。」（第８頁第１４欄４５行〜第９頁第１５欄１１行）　
　上記（２）の（ア）〜（カ）の記載及び図面によれば、第２引用例には、以下の発明（以下、「第２引用例に記載の発明」という。）が記載されている。
「検出部ＳＥ２と接続され、外部電源投入時に充電され、外部電源遮断後に前記検出部ＳＥ２が導通状態となって、コンデンサＣ２を充電するコンデンサＣ１と、この状態において外部電源が投入されると、発光ダイオードＬＥＤ１で、筐体が開けられたことを確認できるようにした回路を備える、パチンコ遊技機に組み込まれる筐体の封印装置。」　
　
　
［２］対比・判断
（１）本願発明と引用発明との対比
（ア）本願発明と引用発明とを対比すると、引用発明の「遊技機の開閉枠や開閉ケースを開く行為を検出するための不正検出情報に基づいて」は、本願発明の「遊技機の開放を検出して」に相当し、以下同様に、
　「不正情報を出力する」は「警告する」に、
　「不正監視装置」は「開放警告装置」に、
　「箱状の収納ケース」は「ケース」に、
　「遊技機２の背面側上方の島設備１側」は「遊技機設置島」に、
　「配設」は「取り付け」に、
　「スプリング等のロッド状弾性体により構成され」は「本体部分はコイルバネであり」に、
　「初期位置」は「垂下位置」に、
　「球タンク２５に押圧される状態」は「傾斜位置」に、
　「ロッド状検出部２１ａの押圧がなくなると」は「外力が働かないときには」に、
　「初期位置に復帰する」は「垂下位置を維持する」に、
　「ロッド状検出部２１ａ」は「開閉検出体」に、
　「球タンク２５に押圧される状態では前面枠オープン信号３４を出力せず、初期位置に復帰すると監視アダプタ３に前記前面枠オープン信号３４を出力する手段」は「傾斜姿勢にあるときにはオフになり垂下姿勢になるとオンになる開放検出スイッチ」に、
　「主電源５の非供給時において」は「開放警告装置の電源が切られているときに」に、
　「前面枠オープン信号３４が入力されると」は「開放検出スイッチがオンにされると」に、
　「主電源５の供給状態において」は「開放警告装置の電源が入っているときに作動して」に、
　「ランプ表示部６を発光させず」は「警告灯への電流を遮断し」に、
　「ランプ表示部６を発光させる」は「警告灯に通電する」に、
　「トランジスタ６６」は「スイッチ回路」に、
　「前面枠１７の開放動作前」は「遊技機の閉鎖時」に、
　「ロッド状検出部２１ａが前記球タンク２５に押圧される状態であり」は「遊技機の扉部材に取り付けられた部品によって押圧されて（前記）開閉検出体が前記傾斜姿勢となり」に、
　「押圧がなくなると」は「押圧が解除されると」に、
　「初期位置に復帰する位置」は「垂下姿勢となる位置」に、それぞれ相当する。
　
（イ）本願発明の「コンデンサ」と、引用発明の「第２のＤフリップ・フロップ６５」とは、開放警告装置の電源が切られているときに（主電源５の非供給時において）、開放検出スイッチがオンにされると（前面枠オープン信号３４が入力されると）、一方のレベルの電位になる手段である点で共通している。
　
（ウ）本願発明の「コンデンサの電位がハイレベルのときは警告灯への電流を遮断し、該コンデンサの電位がローレベルのときは前記警告灯に通電する」構成と、引用発明の「「Ｈ」レベルの電圧が印加されていないとランプ表示部６を発光させず、「Ｈ」レベルの電圧が印加されているとランプ表示部６を発光させる」構成とは、「電位が他方のレベルのときは警告灯への電流を遮断し、電位が一方のレベルのときは警告灯に通電する」構成である点で共通している。
　
　してみると、本願発明と引用発明とは、
「遊技機の開放を検出して警告する開放警告装置において、
　ケースと、
　該ケースを遊技機設置島に取り付けるとともに、
　本体部分はコイルバネであり、前記ケースから垂下され、垂下位置と傾斜位置の間で揺動変位可能であるが、外力が働かないときには前記垂下位置を維持する開閉検出体と、
　該開閉検出体が前記傾斜姿勢にあるときにはオフになり前記垂下姿勢になるとオンになる開放検出スイッチと、
　前記開放警告装置の電源が切られているときに前記開放検出スイッチがオンにされると一方のレベルの電位になる手段と、
　前記開放警告装置の電源が入っているときに作動して、電位が他方のレベルのときは前記警告灯への電流を遮断し、電位が一方のレベルのときは前記警告灯に通電するスイッチ回路と
　を備えて、
　前記ケースは、遊技機の閉鎖時には遊技機の扉部材に取り付けられた部品によって押圧されて前記開閉検出体が前記傾斜姿勢となり、該押圧が解除されると前記開閉検出体が前記垂下姿勢となる位置に、遊技機設置島に取り付けられる
　開放警告装置。」の点で一致し、以下の点で相違する。
　
　相違点Ａ．本願発明はプラスチック製のケースと、該ケースを遊技機設置島に取り付けるための部材を備えているのに対し、引用発明の箱状の収納ケースの材質及び該筺体部分をどのようにして島設備１側に取り付けているのかが不明である点。
　相違点Ｂ．本願発明はコイルバネがケース内に設けられている軸にて支持されるとともに、前記ケースに内蔵されているバネによって垂下位置側に付勢されているのに対し、引用発明のスプリング等のロッド状弾性体は、箱状の収納ケースにどのように支持されているのか不明であり、また、初期位置への復帰は自らの弾性力により行われる点。
　相違点Ｃ．本願発明は、「開放検出スイッチ」を、「ケース内」に配しているのに対し、引用発明では、どこに配置しているのか不明である点。
　相違点Ｄ．　本願発明は、スイッチがオンにされると一方のレベルの電位になる手段である「コンデンサ」を、「ケース内」に配しているのに対し、引用発明では、同手段である「第２のＤフリップ・フロップ６５」を、箱状の収納ケースとは異なる「監視アダプタ３の収納ケース３８内」に配設している点。
　相違点Ｅ．　開放警告装置の電源が切られているときに（主電源５の非供給時において）、開放検出スイッチがオンにされると（前面枠オープン信号３４が入力されると）、一方のレベルの電位になる手段の構成が、本願発明と引用発明で異なっている点。
　相違点Ｆ．　スイッチ回路（トランジスタ６６）の状態を制御する電位を出力するための構成が、本願発明と引用発明で異なっている点。
　
（２）相違点Ａ〜Ｄについての判断　
　相違点Ａについて、遊技機の構成部材の材料としてのプラスチックは従来一般的であって、本願発明の「ケース」の材料に採用することは、当業者が必要に応じて適宜行う材料の選択に過ぎず、また、ケースの取り付けのために、「取り付けるための部材」を備えることは周知慣用技術であって、当業者であれば適宜採用し得るものである。
　次に、相違点Ｂ及びＣについて、遊技機の開閉を検出する検出体の変位を、「ケース内に設けられている軸」を中心とした揺動とし、検出体を、「ケースに内蔵されているバネによって垂下位置側に付勢」したものとし、開放を検出するスイッチを「ケース内」に配することは、例えば、特開平１１−３１３９５４号公報、特開平１０−３０５１４２号公報に記載されるように、従来周知の技術事項であり（以下、「周知技術」という。）、この周知技術を、引用発明の不正監視装置に採用することは、当業者にとって格別の創意を要することではない。
　さらに、相違点Ｄについて、スイッチがオンにされると一方の電位レベルになる手段を、スイッチに近接して配するか、離れたところに配するかは、当業者が適宜決定する設計的事項である。
　
（３）相違点Ｅ〜Ｆについての判断
　前記【２】［１］（２）に示したように、第２引用例に記載の発明は、「検出部ＳＥ２と接続され、外部電源投入時に充電され、外部電源遮断後に前記検出部ＳＥ２が導通状態となって、コンデンサＣ２を充電するコンデンサＣ１と、この状態において外部電源が投入されると、発光ダイオードＬＥＤ１で、筐体が開けられたことを確認できるようにした回路を備える、パチンコ遊技機に組み込まれる筐体の封印装置。」である。
　ここで、「コンデンサＣ１」（本願発明の、「コンデンサ」に相当する。）が、「筐体が開けられる」前の「充電」により、ハイレベルの電位にあることは、当業者にとっての技術常識である。
　そして、「前記検出部ＳＥ２が導通状態となって、前記コンデンサＣ１に充電された電荷によってコンデンサＣ２が充電され」ることは、すなわち、コンデンサＣ１が、検出部ＳＥ２（本願発明の、「開放検出スイッチ」に相当する。）を通る経路で放電されてローレベルの電位になることであると言い換えることができる。
　また、外部電源遮断後に、仮に、筐体が開けられなければ、検出部ＳＥ２は導通状態となって、その結果、コンデンサＣ１に充電された電荷によってコンデンサＣ２が充電されない、すなわち、コンデンサＣ１が放電されずにハイレベルの電位を保ち、この状態において外部電源が投入されても、発光ダイオードＬＥＤ１で筐体が開けられていないことが確認できるようにされていることは、当業者にとって自明の技術事項である。
　さらに、コンデンサが放電する際の回路構成について、本願発明は、コンデンサとスイッチのみが接続しているのに対して、第２引用例に記載の発明は、コンデンサＣ１と検出部ＳＥ２の状態に応じて、ソース・ドレイン間が遮断状態から導通状態に切り替わるスイッチの役目を果たすＦＥＴ８とコンデンサＣ２及び抵抗Ｒ１が接続しているが、これを電源側から見れば、コンデンサＣ１に対して、ＦＥＴ８とコンデンサＣ２及び抵抗Ｒ１が、並列に配されているものといえる。
　以上を総合すると、引用文献２に記載された発明は、「スイッチの役目を果たすＦＥＴ８と並列に配されて、電源が入っているときにハイレベルの電位に充電され、該電源が切られているときに開放検出スイッチがオンにされると前記開放検出スイッチを通る経路で放電されてローレベルの電位になるコンデンサと、電源が入っているときに作動して、前記コンデンサの電位がハイレベルのときは警告灯で筐体が開けられていないことが確認できるようにし、該コンデンサの電位がローレベルのときは警告灯で筐体が開けられたことを確認できるようにした回路」を備えたものであるといえる。
　
　そして、引用発明と、第２引用例に記載の発明とは、遊技機を構成する部品の開放を検出して警告することを技術的課題としている点で共通するといえるから、引用発明における「主電源の非供給時において、前面枠オープン信号３４が入力されると、Ｈレベルとなる第２のＤフリップ・フロップ６５」、及びトランジスタ６６の状態を制御する電位を出力するための構成に換えて、第２引用例に記載の発明の構成を採用して、相違点Ｅ及びＦに係る本願発明の構成とすることは、当業者であれば容易に想到し得る事項である。
　
（４）本願発明の作用効果の検討　
　本願発明の作用効果は、上記第１引用例に記載の発明（引用発明）及び上記第２引用例に記載の発明並びに上記周知技術に基づいて当業者が当然予測できるものである。　
　　
（５）むすび　
　よって、本願発明は、上記第１引用例に記載の発明（引用発明）及び上記第２引用例に記載の発明並びに上記周知技術に基づいて当業者が容易に発明をすることができたものであり、特許法第２９条第２項の規定により、特許を受けることができない。　
　
　
［３］むすび　
　以上のとおり、本願発明は、第１引用例に記載の発明（引用発明）及び第２引用例に記載の発明並びに周知技術に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。